(57)【要約】【課題】ＩＥＥＥ８０２．１１ｅを用いた場合、無線区間における帯域予約要求は、無線子機からのみに限定されているために、直接ＭＡＣ層レベルにおいて無線親機から帯域予約を行うことができないという課題を有していた。【解決手段】本発明は、上記課題を解決するために、帯域予約命令要求手段１０５から無線親機ＭＡＣ手段１０３及び無線子機ＭＡＣ手段２０３を介して、無線子機帯域予約命令応答手段２０５に対して無線予約命令要求を行い、無線予約命令応答手段２０５は無線子機ＭＡＣ手段２０３に帯域予約命令を行うことにより、その命令を受けた無線子機は、無線子機からの帯域要求と同じ手順、つまり無線子機ＭＡＣ手段２０３から無線親機ＭＡＣ手段に帯域予約命令を行い、一方向からしか帯域予約できないシステムにおいても、擬似的に双方向から帯域予約できるようにすることを目的とする。【選択図】図２
2005260809.tif 000002
【特許請求の範囲】
【請求項１】
無線を用いて、無線機器間でデータの送受信を行い、無線親機及び１つまたは複数の無線子機によって構成される無線通信システムであって、
前記無線親機は、ベースバンド信号を変復調し、アンテナを介してデータを送受信する無線親機通信手段と、
無線区間の帯域管理を行う無線帯域管理手段と、
入出力データをパケット形式データとして送受信処理を行う無線親機ＭＡＣ手段と、
送受信データコマンドのパラメータ変換を行う無線親機パラメータ変換手段と、
帯域区間の帯域予約命令を要求する帯域予約命令要求手段と、
データの蓄積管理を行う無線親機データ管理手段を備え、
前記無線子機は、ベースバンド信号を変復調し、アンテナを介してデータを送受信する無線子機通信手段と、
入出力データをパケット形式データとして送受信処理を行う無線子機ＭＡＣ手段と、
送受信データコマンドのパラメータ変換を行う無線子機パラメータ変換手段と、
帯域区間の帯域予約命令に応答する帯域予約命令応答手段と、
データの蓄積管理を行う無線子機データ管理手段を備え、
無線子機から無線親機への一方向のみで帯域確保が可能なシステムにおいても、無線親機及び無線子機の双方向から、帯域予約を行うことができることを特徴とする無線通信装置。
【請求項２】
前記無線親機及び前記無線子機の一方あるいは両方は入出力手段を備え、無線親機及び無線子機の一方あるいは両方と接続されたデータ送受信機からのデータの送受信をも行う機能を備える、請求項１に記載の無線通信装置。
【請求項３】
前記帯域予約命令要求手段は、帯域確保量を含んだ帯域予約命令を要求する、請求項１または２に記載の無線通信装置。
【請求項４】
前記帯域予約命令要求手段は、優先度情報を含んだ帯域予約命令を要求する、請求項１または２に記載の無線通信装置。
【請求項５】
前記無線親機は、繰り返して帯域予約命令を要求する、請求項１または２に記載の無線通信装置。
【発明の詳細な説明】
【技術分野】
【０００１】
本発明は、無線通信システムにおいて、無線区間における帯域予約の方法に関するものである。
【背景技術】
【０００２】
従来の無線通信システムにおける帯域予約の方式としては、帯域予約を要求する側から、帯域予約を要求される側に対して予約を行う方法が用いられている。帯域予約を行う方法の一例として、ＲＳＶＰ（Ｒｅｓｏｕｒｃｅ  Ｒｅｓｅｒｖａｔｉｏｎ  Ｐｒｏｔｏｃｏｌ）がある。ＲＳＶＰにおいては、データ送信側がまずＰＡＴＨ信号をデータ受信側に送り、ＰＡＴＨ信号を受信したデータ受信側が、データ送信側から要求された帯域を満たすだけ十分の帯域が空いているかどうか、また、帯域の予約権限があるかどうか等を判断し、その結果をルータを介してデータ送信側に通知している。また、現在策定中のＩＥＥＥ８０２．１１ｅ規格によるＨＣＣＡ（Ｈｙｂｒｉｄ  Ｃｏｏｒｄｉｎａｔｉｏｎ  Ｆｕｎｃｔｉｏｎ  Ｃｏｎｔｒｏｌｌｅｄ  Ｃｈａｎｎｅｌ  Ａｃｃｅｓｓ）制御方式においては、無線子機がデータ送信を行う際には、図１に示す手順により帯域予約要求を行う。図１において、まずデータを送信する無線子機が無線親機に対して、ＡＤＤＴＳ要求を送信することにより、送りたいデータの帯域予約要求を行う。無線親機側では、要求された帯域が使用可能かどうか判断し、可能であればＡＤＤＴＳ応答を無線子機に返す。そして、無線親機はＣＦ−Ｐｏｌｌによりデータの送信許可を出し、その信号を受信した無線子機はデータを送信することが可能となる。
【特許文献１】特開２００１−１６２７１号公報
【非特許文献１】ＩＥＥＥ  Ｐ８０２．１１ｅ／Ｄ7．０，“Ｄｒａｆｔ  Ａｍｅｎｄｍｅｎｔ  ｔｏ  ＳＴＡＮＤＡＲＤ  ［ｆｏｒ］  Ｉｎｆｏｒｍａｔｉｏｎ  Ｔｅｃｈｎｏｌｏｇｙ  −  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  −  ＬＡＮ／ＭＡＮ  Ｓｐｅｃｉｆｉｃ  Ｒｅｑｕｉｒｅｍｅｎｔｓ  −  Ｐａｒｔ１１：Ｗｉｒｅｌｅｓｓ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  ｓｐｅｃｉｆｉｃａｔｉｏｎｓ：Ｍｅｄｉｕｍ  Ａｃｃｅｓｓ  Ｃｏｎｔｒｏｌ（ＭＡＣ）  Ｑｕａｌｉｔｙ  ｏｆ  Ｓｅｒｖｉｃｅ（ＱｏＳ）  Ｅｎｈａｎｃｅｍｅｎｔｓ”，Ｊａｎｕａｒｙ  ２００４
【発明の開示】
【発明が解決しようとする課題】
【０００３】
しかしながら、前記無線通信システムのように、帯域予約を要求する側から帯域予約を要求される側に対して予約を行う方法が用いられている場合において、図１に示すような通信プロトコルを用いたＩＥＥＥ８０２．１１ｅを用いた場合、無線区間における帯域予約要求は、無線子機からのみに限定されているために、直接ＭＡＣ層レベルにおいて無線親機から帯域予約を行うことができないという課題を有していた。つまり、帯域予約を要求する側が無線親機側である場合は、帯域予約が行えない。
【０００４】
本発明は、上記課題を解決し、一方向からしか帯域予約できないシステムにおいても、擬似的に双方向から帯域予約できるようにすることを目的とする。
【課題を解決するための手段】
【０００５】
上記課題を解決するための、本特許手段に係る請求項１に記載の発明は、無線を用いて、無線機器間でデータの送受信を行い、無線親機及び１つまたは複数の無線子機によって構成される無線通信システムであって、前記無線親機は、ベースバンド信号を変復調し、アンテナを介してデータを送受信する無線親機通信手段と、無線区間の帯域管理を行う無線帯域管理手段と、入出力データをパケット形式データとして送受信処理を行う無線親機ＭＡＣ手段と、送受信データコマンドのパラメータ変換を行う無線親機パラメータ変換手段と、帯域区間の帯域予約命令を要求する帯域予約命令要求手段と、データの蓄積管理を行う無線親機データ管理手段を備え、前記無線子機は、ベースバンド信号を変復調し、アンテナを介してデータを送受信する無線子機通信手段と、入出力データをパケット形式データとして送受信処理を行う無線子機ＭＡＣ手段と、送受信データコマンドのパラメータ変換を行う無線子機パラメータ変換手段と、帯域区間の帯域予約命令に応答する帯域予約命令応答手段と、データの蓄積管理を行う無線子機データ管理手段を備える、無線通信装置である。
【０００６】
本特許手段に係る請求項２に記載の発明は、無線親機及び無線子機の一方あるいは両方は入出力手段を備え、無線親機及び無線子機の一方あるいは両方と接続されたデータ送受信機からのデータの送受信をも行う機能を備える、請求項１に記載の無線伝送装置である。
【０００７】
本特許手段に係る請求項３に記載の発明は、帯域予約命令要求手段は、帯域確保量を含んだ帯域予約命令を要求する、請求項１または２に記載の無線通信装置である。
【０００８】
本特許手段に係る請求項４に記載の発明は、帯域予約命令要求手段は、優先度情報を含んだ帯域予約命令を要求する、請求項１または２に記載の無線通信装置である。
【０００９】
本特許手段に係る請求項５に記載の発明は、無線親機は、繰り返して帯域予約命令を要求する、請求項１または２に記載の無線通信装置である。
【発明の効果】
【００１０】
本発明の無線通信装置によれば、帯域予約命令を受けた無線子機が、無線子機からの帯域要求と同じ手順、つまり無線子機ＭＡＣ手段から無線親機ＭＡＣ手段に帯域予約命令を行い、一方向からしか帯域予約できないシステムにおいても、擬似的に双方向から帯域予約できる。
【発明を実施するための最良の形態】
【００１１】
以下に本発明の実施の形態について、図面を参照しながら説明する。
【００１２】
（実施の形態１）
図２は本発明の実施の形態１における無線通信装置のブロック図である。
【００１３】
図２において、無線親機１００は、データ送受信機が無線親機に内蔵してあるシステム、つまり無線親機内蔵無線ＡＶ機器であり、無線子機２００は、データ送受信機が無線子機に内蔵してあるシステム、つまり無線子機内蔵無線ＡＶ機器である。
【００１４】
ここで無線通信プロトコルとして、ＩＥＥＥ８０２．１１ｅの手順を用いて説明する。
【００１５】
まず、無線子機２００から無線親機１００へデータ伝送する場合、例えば、無線子機側がＤＶＤプレーヤーで、無線親機側がＴＶと仮定して説明する。無線子機２００は、ＤＶＤプレーヤーであるために、無線子機データ管理手段２０６により、ＤＶＤのコンテンツの管理を行っている。このコンテンツを無線親機１００に送るために、まず、無線子機パラメータ変換手段２０４にＭＰＥＧデータを送る。無線子機パラメータ変換手段２０４は、無線子機データ管理手段２０６から送られてきたデータに含まれるパラメータを、無線パケットのフォーマットに合うように変換する。例えば、図３に示すＭＰＥＧ２−ＰＳパケット及びＭＰＥＧ２−ＴＳパケットのフォーマットに基づいたデータが送られてきた場合、無線子機パラメータ変換手段２０４は、図４に示す無線フレームフォーマットに適したフォーマット変換を行う必要がある。具体的には、図４（ａ）に示すように、複数のＭＰＥＧ２パケットを束ねて、それを無線データフレームのＦｒａｍｅ  Ｂｏｄｙに設定するとともに、図３の（ａ）及び（ｂ）に示すＭＰＥＧヘッダの各パラメータに関してそれに対応するパラメータが、一例として示す図４（ｂ）あるいは（ｃ）に対応する無線マネジメントフレームのパラメータに存在する場合は、その値を単位等を合わせた適切な値に変換する必要がある。ここで図３（ａ）に示すＭＰＥＧ２−ＰＳパケットのヘッダであるプラグラム最大伝送速度の単位は５０バイト／秒であるが、図４（ｂ）に示す無線マネジメントフレームのＴＳＰＥＣ内のＰｅａｋ  Ｄａｔａ  Ｒａｔｅ等の値の単位は１ビット／秒であるために、プラグラム最大伝送速度の値を単純に４００で乗算した値をＰｅａｋ  Ｄａｔａ  Ｒａｔｅ等に設定する必要がある。このように、無線子機パラメータ変換手段２０４で変換されたパラメータを無線フレームのフォーマットに適した値として設定し、無線子機ＭＡＣ手段２０３にデータを送る。無線子機ＭＡＣ手段２０３は、無線子機パラメータ手段２０４から送られてきたパラメータ及びデータに基づいて、図４に一部示すような各種管理用、制御用あるいはデータフレームを作成し、無線子機通信手段２０１を介して無線親機１００に送る。ここで、無線子機２００から無線親機１００にデータを送る場合は、データを送る前に、無線区間において帯域確保を行う必要があるために、無線子機２００から図４（ｂ）に示す無線マネジメントフレームであるＡＤＤＴＳ  ｒｅｑｕｅｓｔを無線親機１００に対して送信し、無線予約命令を行う必要がある。無線親機１００は、無線親機通信手段１０１を介してこの命令を受信し、無線区間の帯域管理を行っている無線帯域管理手段１０２は、受信したＡＤＤＴＳ  ｒｅｑｕｅｓｔ内のパラメータを解析し、無線子機２００から要求された無線帯域が、現在無線区間で使用可能な帯域幅より小さいかどうか等を判定し、帯域予約の許可の有無を判断する。
【００１６】
具体的には、図４（ｂ）の無線マネジメントフレームであるＡＤＤＴＳ  ｒｅｑｕｅｓｔ内におけるＴＳＰＥＣパラメータにおいて、Ｎｏｍｉｎａｌ  ＭＳＤＵ  Ｓｉｚｅ、Ｍａｘｉｍｕｍ  Ｓｅｒｖｉｃｅ  Ｉｎｔｅｒｖａｌ、Ｍｅａｎ  Ｄａｔａ  Ｒａｔｅ、更にはＭｉｎｉｍｕｍ  ＰＨＹ  Ｒａｔｅ等のパラメータを用いて予約帯域量を算出し、算出値が利用可能値に対して小さいかかどうかを判断する。その判断結果は、無線親機ＭＡＣ手段１０３によって、図４（ｃ）に示す無線マネジメントフレームＡＤＤＴＳ  ｒｅｓｐｏｎｓｅを生成し、無線親機通信手段１０１を介して無線子機２００に帯域予約の可否を伝える。帯域予約が可能であるなら、無線子機２００は、無線子機データ管理手段２０６に蓄積されているデータを、無線帯域を確保した状態において無線親機１００に送信し、無線親機１００は、無線親機通信手段１０１、無線親機ＭＡＣ手段１０３、無線親機パラメータ変換手段１０４を介して受信し、無線親機データ管理手段１０６に一次蓄積させ、ＴＶ画面にＤＶＤプレーヤーのデータを表示させる。
【００１７】
この一連の様子を図５に示す。まず、無線子機２００を内蔵したＤＶＤプレーヤーから、無線子機パラメータ変換手段２０４に対して、データを送る前の手順として帯域予約命令を行う。帯域予約要求を受けた無線子機パラメータ変換手段２０４は図５のＭＡＣ層に相当する無線子機ＭＡＣ手段２０３により、ＡＤＤＴＳ要求を送信し、無線親機１００に対して帯域予約を行う。ＡＤＤＴＳ要求を受信した無線親機１００は、要求された帯域が確保可能かどうかを無線帯域管理手段１０２により判断し、その結果を図５のＭＡＣ層に相当する無線親機ＭＡＣ手段１０３で生成したＡＤＤＴＳ応答として無線子機２００に返信する。無線子機２００は、ＡＤＤＴＳ応答により必要帯域が確保されたなら、図５のＣＦ−Ｐｏｌｌ信号に相当する無線親機１００からのポーリング信号に対してデータを送信する。なお、ＡＤＤＴＳ要求、ＡＤＤＴＳ応答、ＣＦ−Ｐｏｌｌ等の管理用信号に対しては、その応答側がＡＣＫにより正しく信号を受信できている旨の返信を行い、お互いハンドシェイクを行っている。
【００１８】
一方、上記とは逆に、無線親機１００から無線子機２００へデータ伝送する場合、例えば、無線親機側がＤＶＤプレーヤーで、無線子機側がＴＶと仮定して説明する。ここで、上記無線子機２００から無線親機１００へ伝送する場合において、動作が同じものは説明を省略する。無線子機２００から無線親機１００へデータを送る場合と、無線親機１００から無線子機２００へデータを送る場合において大きく処理が異なる点は、無線区間における帯域を要求する方向が、無線子機側からなのか、無線親機側からなのかという点である。ところが、ＩＥＥＥ８０２．１１ｅ規格のように、図５に示すＭＡＣ層レベルにおいて、無線帯域要求であるＡＤＤＴＳ  ｒｅｑｕｅｓｔが無線子機側からしか行えない場合、このままでは無線親機側から無線子機側に対して帯域要求を行うことができない。つまり、無線区間の帯域予約は一方向からしかできないことになる。そこで本発明の請求項１において、図２に示す通り無線親機１００において帯域予約命令要求手段１０５を、無線子機２００において帯域予約命令応答手段２０５を設けてこれら問題を解決する。
【００１９】
まず、無線親機１００は、ＤＶＤプレーヤーであるために、無線親機データ管理手段１０６により、ＤＶＤのコンテンツの管理を行っている。このコンテンツを無線子機２００に送るために、無線親機パラメータ変換手段１０４にＭＰＥＧデータを送る。無線親機パラメータ変換手段１０４が無線親機データ管理手段１０６からデータを受信した際には、データを送る際に必要となる帯域予約のために、帯域予約命令要求手段１０５に対して、無線子機２００から無線親機１００に対して帯域予約を行うように制御するための信号を生成し、無線子機２００に送るように指示する。帯域予約命令要求手段１０５は、無線親機ＭＡＣ手段１０３、無線親機通信手段１０１を介して、無線子機２００に帯域予約命令を行わせる信号を送信する。
【００２０】
その信号である帯域予約命令要求のフォーマットを図６に示す。このように帯域予約命令要求は、図６（ａ）及び（ｃ）に示すように、どの無線機器からどの無線機器に対しての帯域予約であるかという送信元アドレス及び送信先アドレスの情報と同時に、帯域予約はどの程度必要であるかという帯域確保量の情報を含んでいることを特徴とし、あるいはまた、図６（ｂ）及び（ｃ）に示すように、帯域確保あるいはデータ送出に際し、その優先順位を決定付ける優先度情報を含むことを特徴とする。
【００２１】
その信号を受信した無線子機２００は、無線子機ＭＡＣ手段２０３、無線子機パラメータ変換手段２０４を介して、帯域予約命令応答手段２０５に送られる。帯域予約命令応答手段２０５は、無線親機２００からの帯域予約命令を行わせる信号を解析し、必要な帯域量等を求め、送信元アドレス、送信先アドレス、あるいは優先度情報を抽出し、無線子機ＭＡＣ手段２０３に適切なパラメータを渡す。無線子機ＭＡＣ手段２０３は、受信したパラメータに基づいて、図４（ｂ）無線マネジメントフレームＡＤＤＴＳ  Ｒｅｑｕｅｓｔのパラメータに値を設定し、無線子機通信手段２０１、無線親機通信手段１０１を介して無線親機１００に帯域予約命令を送る。この帯域予約命令を受信した無線帯域管理手段１０２は、予約帯域が、現在可能な帯域幅であるかどうかを判断し、あるいは優先度情報の値を考慮した上で帯域予約が可能であれば、無線親機ＭＡＣ手段１０３によって、図４（ｃ）無線マネジメントフレームＡＤＤＴＳ  Ｒｅｓｐｏｎｓｅを生成し、無線親機通信手段１０１を介して無線子機２００に帯域予約命令の返信を返すとともに、無線親機ＭＡＣ手段１０３は、無線親機パラメータ変換手段１０４を介して、無線親機データ管理手段１０６に帯域が確保出来た旨の連絡を行い、無線親機データ管理手段１０６は、蓄積されているデータを無線子機２００に帯域確保された無線区間を介して送ることができる。
【００２２】
帯域確保が不可能である場合は、無線親機１００は、定期的に帯域予約命令を発行することにより、帯域確保が不可能から可能になる時点を知ることができ、その情報を無線親機１００に知らせることにより、例えば送信できずに無線親機データ管理手段１０６にたまっていたデータを無線子機２００に送ることが可能となる。
【００２３】
この一連の様子を図７に示す。まず、無線親機１００を内蔵したＤＶＤプレーヤーから、無線親機パラメータ変換手段１０４に対して、データを送る前の手順として帯域予約命令を行う。帯域予約命令は、無線親機１００の帯域予約命令要求手段１０５で生成され、無線親機ＭＡＣ手段１０３、無線親機通信手段１０１、また、無線子機２００の無線子機通信手段２０１、無線子機ＭＡＣ手段２０３、及び無線子機パラメータ手段２０４を介して帯域予約命令応答手段２０５に送られる。帯域予約命令を受けた帯域予約命令応答手段２０５は、図７のＭＡＣ層に相当する無線子機ＭＡＣ手段２０３により、ＡＤＤＴＳ要求を送信し、無線親機１００に対して帯域予約を行う。ＡＤＤＴＳ要求を受信した無線親機１００は、要求された帯域が確保可能かどうかを無線帯域管理手段１０２により判断し、その結果を図７のＭＡＣ層に相当する無線親機ＭＡＣ手段１０３で生成したＡＤＤＴＳ応答として無線子機２００に返信する。無線親機１００は、必要帯域が確保されたなら、図７のＣＦ−Ｐｏｌｌ信号に相当する無線親機１００からのポーリング信号と同時に、あるいは別にしてデータを送信する。
【００２４】
このように、ＩＥＥＥ８０２．１１ｅのように一方向からしか無線区間の帯域予約ができないような規格あるいはシステムに対して本発明による方式を用いることにより、双方向において、帯域予約が可能となり、データ送受信機と無線親機及び無線子機との組み合わせを気にすることなく、無線伝送システムを構成することが可能となる。
【００２５】
なお、この実施例では、無線親機１００と無線子機２００が１対ずつの構成で説明を行ったが、無線親機１台に対して複数の無線子機が構成されていても構わない。すなわち、図８のような無線通信装置の構成に対しても有効である。
【００２６】
（実施の形態２）
図９は本発明の実施の形態２における無線通信装置のブロック図である。図９において図２と同じ構成手段については同じ符号を用い説明を省略する。
【００２７】
図９において、無線親機１００は、データ送受信機３００と入出力手段１０７によって接続してあるシステム、つまり無線親機１００がデータ送受信機３００に内蔵されておらず、独立して設置されており、無線子機２００は、データ送受信機３００が無線子機２００に内蔵してあるシステム、つまり無線子機内蔵無線ＡＶ機器である。よって、データ送受信機３００と接続するための入出力手段１０７が新たに加わった構成となっている。
【００２８】
構成としては、データ送受信機３００と無線親機１００が独立した構成となっているが、無線親機１００と無線子機２００における無線区間の帯域予約の通信手順は、実施の形態１で説明した図２の装置と同じであるために説明を省略する。
【００２９】
このように、入出力手段１０７を設けることにより、無線親機１００にデータ送受信機を接続することが可能となり、例えば無線親機１００にＤＶＤプレーヤーをＥｔｈｅｒｎｅｔ（Ｒ）ケーブルやｉＬｉｎｋケーブル等で接続することが可能となり、より使い易いシステムで構成することができる。
【００３０】
なお、この実施例では、無線親機側に入出力手段１０７を設けたが、図１０に示すように無線子機側に入出力手段１０７を設けた場合は、同様に無線子機２００にデータ送受信機を接続することが可能となり、また、図１１に示すように、無線親機側及び無線子機側の両方に入出力手段１０７を設けた場合、同様に無線親機１００及び無線子機２００それぞれにデータ送受信機３００を接続することが可能となり、無線親機１００あるいは無線子機２００の設置構成を気にすることなく、双方向から無線帯域予約が可能なシステム作りができるという効果が生じる。
【００３１】
また、この実施の形態では、無線親機１００と無線子機２００が１対ずつの構成で説明を行ったが、無線親機１台に対して複数の無線子機が構成されていても構わない。すなわち、図１２のような無線通信装置の構成に対しても有効である。
【００３２】
さらに、図９から図１２に示すように、入出力手段１０７は、無線親機パラメータ変換手段１０４あるいは無線子機パラメータ変換手段２０４に接続されており、図２と比べてそれぞれ、無線親機データ管理手段１０６及び無線子機データ管理手段２０６が省略されているが、これらの手段の機能をも含んだ構成となっていても構わない。
【産業上の利用可能性】
【００３３】
本発明にかかる無線通信装置によれば、ＩＥＥＥ８０２．１１ｅ規格に定義されていない無線親機からの帯域予約の仕組みを導入することにより、無線機器に内蔵されている、あるいは接続されているＡＶ機器双方から、無線データ伝送を実現することができ、帯域予約が必要なリアルタイム映像を無線で送信する場合等に有用である。
【図面の簡単な説明】
【００３４】
【図１】ＩＥＥＥ８０２．１１ｅによる、無線区間における帯域予約方法のシーケンス図
【図２】本発明の実施の形態１における無線親機及び無線子機のブロック図
【図３】本発明の実施の形態１におけるＭＰＥＧ２―ＰＳパケット及びＭＰＥＧ２−ＴＳパケットのフォーマットを示す図
【図４】本発明の実施の形態１における無線データフレーム、及び無線マネジメントフレームを示す図
【図５】本発明の実施の形態１における無線子機から無線親機に帯域予約する際の無線親機及び無線子機のＭＡＣ層及上位層のプロトコル手順を示す図
【図６】本発明の実施の形態１における帯域予約命令要求のフレームフォーマットを示す図
【図７】本発明の実施の形態１における無線親機から無線子機に帯域予約する際の無線親機及び無線子機のＭＡＣ層及上位層のプロトコル手順を示す図
【図８】本発明の実施の形態１における無線親機及び複数の無線子機のブロック図
【図９】本発明の実施の形態２における無線親機及び無線子機のブロック図
【図１０】本発明の実施の形態２における無線親機及び無線子機のブロック図
【図１１】本発明の実施の形態２における無線親機及び無線子機のブロック図
【図１２】本発明の実施の形態２における無線親機及び複数の無線子機のブロック図
【符号の説明】
【００３５】
１００    無線親機
１０１    無線親機通信手段
１０２    無線帯域管理手段
１０３    無線親機ＭＡＣ手段
１０４    無線親機パラメータ変換手段
１０５    帯域予約命令要求手段
１０６    無線親機データ管理手段
１０７    入出力手段
２００    無線子機
２０１    無線子機通信手段
２０３    無線子機ＭＡＣ手段
２０４    無線子機パラメータ変換手段
２０５    帯域予約命令応答手段
２０６    無線子機データ管理手段
３００    データ送受信機
【図１】
2005260809.tif 000003
【図２】
2005260809.tif 000004
【図３】
2005260809.tif 000005
【図４】
2005260809.tif 000006
【図５】
2005260809.tif 000007
【図６】
2005260809.tif 000008
【図７】
2005260809.tif 000009
【図８】
2005260809.tif 000010
【図９】
2005260809.tif 000011
【図１０】
2005260809.tif 000012
【図１１】
2005260809.tif 000013
【図１２】
2005260809.tif 000014